【手続補正書】
【提出日】平成16年11月2日(2004.11.2)
【手続補正１】
【補正対象書類名】明細書
【補正対象項目名】特許請求の範囲
【補正方法】変更
【補正の内容】
【特許請求の範囲】
【請求項１】
給紙ユニットにより給紙され、所定の搬送方向に搬送される記録媒体に対し、記録ヘッドを主走査方向に移動させながら当該記録ヘッドからインクを吐出させ、前記記録媒体に画像を形成するインクジェット記録装置において、
前記記録ヘッドよりも前記搬送方向における上流側に配置されており、記録媒体を検知する記録媒体検知手段と、
前記記録媒体検知手段の検知位置から画像形成中の記録媒体の後端までの長さを求める後端残量取得手段と、
現時点から前記画像形成中の記録媒体に対する画像形成が終了するまでの時間を求める残記録時間取得手段と、
前記後端残量取得手段によって求められた長さが所定の基準長さよりも短くなり、かつ、前記残記録時間取得手段によって求められた時間が所定の基準時間よりも短くなった際に、前記給紙ユニットによる前記記録媒体の給紙を開始させるよう制御する制御手段とを備えることを特徴とするインクジェット記録装置。
【請求項２】
前記画像形成中の記録媒体の次に前記給紙ユニットにより給紙され得る次頁記録媒体に対し、画像を形成すべきか否かを判定する次頁記録判定手段をさらに備え、前記制御手段は、前記次頁記録判定手段によって次頁記録媒体に対して画像を形成すべきと判定されたときに、次頁記録媒体の給紙を開始させるよう制御することを特徴とする請求項１に記載のインクジェット記録装置。
【請求項３】
前記所定の基準時間は、前記給紙ユニットによる給紙動作を開始してから前記記録媒体が移動し始めるまでの時間であることを特徴とする請求項１に記載のインクジェット記録装置。
【請求項４】
給紙ユニットにより給紙され、所定の搬送方向に搬送される記録媒体に対し、記録ヘッドを主走査方向に移動させながら当該記録ヘッドからインクを吐出させ、前記記録媒体に画像を形成するインクジェット記録方法において、
（ａ）前記記録ヘッドよりも前記搬送方向における上流側で、記録媒体を検知するステップと、
（ｂ）ステップ（ａ）で記録媒体を検知する位置から画像形成中の記録媒体の後端までの長さを求めるステップと、
（ｃ）現時点から前記画像形成中の記録媒体に対する画像形成が終了するまでの時間を求めるステップと、
（ｄ）ステップ（ｂ）で求められた長さが所定の基準長さよりも短くなり、かつ、ステップ（ｃ）で求められた時間が所定の基準時間よりも短くなった際に、前記給紙ユニットによる前記記録媒体の給紙を開始させるステップとを含むインクジェット記録方法。
【請求項５】
ステップ（ｄ）は、前記画像形成中の記録媒体の次に前記給紙ユニットにより給紙され得る次頁記録媒体に対して画像を形成すべきか否か判定することを含み、前記次頁記録媒体に対して画像を形成すべきであると判定されたときに、次頁記録媒体の給紙を開始させることを特徴とする請求項４に記載のインクジェット記録方法。
【請求項６】
給紙ユニットにより給紙され、所定の搬送方向に搬送される記録媒体に対し、記録ヘッドを主走査方向に移動させながら当該記録ヘッドからインクを吐出させ、前記記録媒体に画像を形成するインクジェット記録装置を制御するためのプログラムにおいて、
（ａ）前記記録ヘッドよりも前記搬送方向における上流側で、記録媒体を検知するステップと、
（ｂ）ステップ（ａ）で記録媒体を検知する位置から画像形成中の記録媒体の後端までの長さを求めるステップと、
（ｃ）現時点から前記画像形成中の記録媒体に対する画像形成が終了するまでの時間を求めるステップと、
（ｄ）ステップ（ｂ）で求められた長さが所定の基準長さよりも短くなり、かつ、ステップ（ｃ）で求められた時間が所定の基準時間よりも短くなった際に、前記給紙ユニットによる前記記録媒体の給紙を開始させるステップとを前記インクジェット記録装置に実行させるプログラム。
【請求項７】
ステップ（ｄ）は、前記画像形成中の記録媒体の次に前記給紙ユニットにより給紙され得る次頁記録媒体に対して画像を形成すべきか否か判定することを含み、前記次頁記録媒体に対して画像を形成すべきであると判定されたときに、次頁記録媒体の給紙を開始させることを特徴とする請求項６に記載のプログラム。
【請求項８】
コンピュータによって読み取り可能な記憶媒体であって、請求項６または７に記載のプログラムが格納されている記憶媒体。
【手続補正２】
【補正対象書類名】明細書
【補正対象項目名】０００６
【補正方法】変更
【補正の内容】
【０００６】
【課題を解決するための手段】
本発明によるインクジェット記録装置は、給紙ユニットにより給紙され、所定の搬送方向に搬送される記録媒体に対し、記録ヘッドを主走査方向に移動させながら当該記録ヘッドからインクを吐出させ、記録媒体に画像を形成するインクジェット記録装置において、記録ヘッドよりも搬送方向における上流側に配置されており、記録媒体を検知する記録媒体検知手段と、記録媒体検知手段の検知位置から画像形成中の記録媒体の後端までの長さを求める後端残量取得手段と、現時点から画像形成中の記録媒体に対する画像形成が終了するまでの時間を求める残記録時間取得手段と、後端残量取得手段によって求められた長さが所定の基準長さよりも短くなり、かつ、残記録時間取得手段によって求められた時間が所定の基準時間よりも短くなった際に、給紙ユニットによる記録媒体の給紙を開始させるよう制御する制御手段とを備えることを特徴とする。
【手続補正３】
【補正対象書類名】明細書
【補正対象項目名】０００７
【補正方法】変更
【補正の内容】
【０００７】
この場合、画像形成中の記録媒体の次に給紙ユニットにより給紙され得る次頁記録媒体に対し、画像を形成すべきか否かを判定する次頁記録判定手段をさらに備え、制御手段は、次頁記録判定手段によって次頁記録媒体に対して画像を形成すべきと判定されたときに、次頁記録媒体の給紙を開始させるよう制御すると好ましい。
【手続補正４】
【補正対象書類名】明細書
【補正対象項目名】０００８
【補正方法】変更
【補正の内容】
【０００８】
また、上記所定の基準時間は、給紙ユニットによる給紙動作を開始してから記録媒体が移動し始めるまでの時間であると好ましい。
【手続補正５】
【補正対象書類名】明細書
【補正対象項目名】０００９
【補正方法】変更
【補正の内容】
【０００９】
本発明によるインクジェット記録方法は、給紙ユニットにより給紙され、所定の搬送方向に搬送される記録媒体に対し、記録ヘッドを主走査方向に移動させながら当該記録ヘッドからインクを吐出させ、記録媒体に画像を形成するインクジェット記録方法において、
（ａ）記録ヘッドよりも搬送方向における上流側で、記録媒体を検知するステップと、
（ｂ）ステップ（ａ）で記録媒体を検知する位置から画像形成中の記録媒体の後端までの長さを求めるステップと、
（ｃ）現時点から画像形成中の記録媒体に対する画像形成が終了するまでの時間を求めるステップと、
（ｄ）ステップ（ｂ）で求められた長さが所定の基準長さよりも短くなり、かつ、ステップ（ｃ）で求められた時間が所定の基準時間よりも短くなった際に、給紙ユニットによる記録媒体の給紙を開始させるステップとを含むものである。この場合、ステップ（ｄ）は、画像形成中の記録媒体の次に給紙ユニットにより給紙され得る次頁記録媒体に対して画像を形成すべきか否か判定することを含み、次頁記録媒体に対して画像を形成すべきであると判定されたときに、次頁記録媒体の給紙を開始させると好ましい。
【手続補正６】
【補正対象書類名】明細書
【補正対象項目名】００１０
【補正方法】変更
【補正の内容】
【００１０】
本発明によるプログラムは、給紙ユニットにより給紙され、所定の搬送方向に搬送される記録媒体に対し、記録ヘッドを主走査方向に移動させながら当該記録ヘッドからインクを吐出させ、記録媒体に画像を形成するインクジェット記録装置を制御するためのプログラムにおいて、
（ａ）記録ヘッドよりも搬送方向における上流側で、記録媒体を検知するステップと、
（ｂ）ステップ（ａ）で記録媒体を検知する位置から画像形成中の記録媒体の後端までの長さを求めるステップと、
（ｃ）現時点から画像形成中の記録媒体に対する画像形成が終了するまでの時間を求めるステップと、
（ｄ）ステップ（ｂ）で求められた長さが所定の基準長さよりも短くなり、かつ、ステップ（ｃ）で求められた時間が所定の基準時間よりも短くなった際に、給紙ユニットによる記録媒体の給紙を開始させるステップとをインクジェット記録装置に実行させるものである。この場合、ステップ（ｄ）は、画像形成中の記録媒体の次に給紙ユニットにより給紙され得る次頁記録媒体に対して画像を形成すべきか否か判定することを含み、次頁記録媒体に対して画像を形成すべきであると判定されたときに、次頁記録媒体の給紙を開始させると好ましい。そして、このようなプログラムは、コンピュータによって読み取り可能な記憶媒体に格納することができる。